(57)【要約】【課題】フランジを利用してプロジェクターなどに固定されたときに、外部からの衝撃に強く、径方向での大型化を抑制できる投写レンズを提供すること。【解決手段】投写レンズ３は、内周側にレンズＬ３〜Ｌ５を備えるレンズ群保持筒４２と、レンズ群保持筒４２を当該レンズ群保持筒４２の外周側から光軸Ｘ方向に移動可能に支持するカム筒５１と、カム筒５１を当該カム筒５１の外周側から光軸Ｘ回りに回転可能に支持する案内筒５２とを有する。レンズ群保持筒４２は、当該レンズ群保持筒４２から外側に突出する案内ピン４９を備える。カム筒５１は周方向に向かって光軸Ｘ方向に傾斜し案内ピン４９が貫通したカム孔５４を備える。案内筒５２は、光軸Ｘ方向に延びて案内ピン４９が内周側から挿入された案内筒５２、および、外周側に突出するフランジ３２を備える。【選択図】図１
2019132943.tif 000002
【特許請求の範囲】
【請求項１】
内周側に１枚または複数枚のレンズを備えるレンズ群保持筒と、
前記レンズ群保持筒を当該レンズ群保持筒の外周側から前記レンズの光軸方向に移動可能に支持するカム筒と、
前記カム筒を当該カム筒の外周側から前記光軸回りに回転可能に支持する案内筒と、
を有し、
前記レンズ群保持筒は、当該レンズ群保持筒から外側に突出する案内ピン、を備え、
前記カム筒は、周方向に向かって前記光軸方向に傾斜し前記案内ピンが貫通したカム孔を備え、
前記案内筒は、前記光軸方向に延びて前記案内ピンが内周側から挿入された案内溝、および、外周側に突出するフランジと、を備えることを特徴とする投写レンズ。
【請求項２】
前記フランジは、前記案内筒における前記光軸方向の中間位置に設けられていることを特徴とする請求項１に記載の投写レンズ。
【請求項３】
前記案内筒は、その内周面に前記案内溝を備え、
前記案内溝は、前記光軸方向の一部分に径方向に貫通する貫通部を備えることを特徴とする請求項１または２に記載の投写レンズ。
【請求項４】
前記案内筒は、樹脂成形品であり、
前記フランジは、前記光軸方向に貫通する固定孔を備え、
前記フランジと前記貫通部とは、前記光軸方向で異なる位置に設けられており、
前記固定孔と前記貫通部とは、前記光軸回りで異なる角度位置に設けられていることを特徴とする請求項３に記載の投写レンズ。
【請求項５】
請求項１から請求項４までのいずれか一項に記載の投写レンズと、
前記投写レンズを支持するためのフレームと、を有し、
前記投写レンズは、前記フランジを介して前記フレームに固定されていることを特徴とするプロジェクター。
【発明の詳細な説明】
【技術分野】
【０００１】
本発明は、光軸方向に移動するレンズ群保持筒を備える投写レンズ、および、画像表示素子に表示した画像を投写レンズにより投写するプロジェクターに関する。
【背景技術】
【０００２】
プロジェクターに搭載される投写レンズは特許文献１に記載されている。同文献の投写レンズは、レンズ鏡筒と、レンズ鏡筒をプロジェクターの固定部に固定するための取付用筒部材を備える。レンズ鏡筒は、複数枚のレンズと、これらのレンズを外周側から保持する鏡筒を備える。取付用筒部材は、環状の板部と、板部の外周側の端部分から投写方向の前方（拡大側）に延びる筒部と、筒部から外周側に突出するフランジを備える。板部は、ねじにより、レンズ鏡筒における投写方向の後方（縮小側）の端面に固定される。板部の固定によって取付用筒部材がレンズ鏡筒に取り付けられた状態では、筒部はレンズ鏡筒の外周側に位置する。
【先行技術文献】
【特許文献】
【０００３】
【特許文献１】特開２０１２−２２０９１５号公報
【発明の概要】
【発明が解決しようとする課題】
【０００４】
特許文献１の投写レンズでは、フランジを備える取付用筒部材がレンズ鏡筒を片持ちの状態で支持する。従って、フランジを用いて投写レンズをプロジェクターの固定部に固定したときに外部から投写レンズに衝撃が加わると、取付用筒部材にかかる負荷が大きくなり、取付用筒部が破損する可能性がある。また、特許文献１に記載の投写レンズでは、フランジを備える取付用筒部材がレンズ鏡筒の外周側に位置する筒部を備えるので、投写レンズが径方向で大型化するという問題がある。
【０００５】
本発明の課題は、このような点に鑑みて、フランジを利用してプロジェクターなどに固定されたときに、外部からの衝撃に強く、径方向での大型化を抑制できる投写レンズを提供することにある。また、かかる投写レンズによって画像を投写するプロジェクターを提供することにある。
【課題を解決するための手段】
【０００６】
上記の課題を解決するために、本発明の投写レンズは、内周側に１枚または複数枚のレンズを備えるレンズ群保持筒と、前記レンズ群保持筒を当該レンズ群保持筒の外周側から前記レンズの光軸方向に移動可能に支持するカム筒と、前記カム筒を当該カム筒の外周側から前記光軸回りに回転可能に支持する案内筒と、を有し、前記レンズ群保持筒は、当該レンズ群保持筒から外側に突出する案内ピン、を備え、前記カム筒は、周方向に向かって前記光軸方向に傾斜し前記案内ピンが貫通したカム孔を備え、前記案内筒は、前記光軸方向に延びて前記案内ピンが内周側から挿入された案内溝、および、外周側に突出するフランジと、を備えることを特徴とする。
【０００７】
本発明の投写レンズでは、レンズを保持する鏡筒は、内周側から外周側に向かって、レンズ群保持筒、カム筒、および、案内筒を備える。そして、フランジは、鏡筒（案内筒）に、直接、設けられている。従って、フランジを利用して投写レンズをプロジェクターのフレームなどに固定したときに外部から投写レンズに衝撃が加わった場合には、その衝撃を鏡筒で受けることができる。よって、フランジを備える部材を鏡筒とは別に備え、フランジを備える部材よって鏡筒を片持ちに支持した構成の投写レンズをプロジェクターのフレームなどに固定した場合と比較して、投写レンズを外部からの衝撃に強いものとすることができる。また、フランジは、鏡筒（案内筒）に、直接、設けられているので、フランジを備える部材を鏡筒の外周側に配置しなくて済む。よって、投写レンズが径方向で大型化することを回避できる。さらに、フランジを備える部材を鏡筒とは別に設けなくてもよいので、投写レンズの部品点数を削減できる。
【０００８】
本発明において、前記フランジは、前記案内筒における前記光軸方向の中間位置に設けられていることが望ましい。このようにすれば、フランジを投写レンズの重心に近い位置に設けることが容易となる。ここで、フランジの位置が投写レンズの重心に近くなれば、フランジを利用して投写レンズをプロジェクターのフレームなどに固定したときに、投写レンズが、フレームにバランス良く支持される。
【０００９】
本発明において、前記案内筒は、その内周面に前記案内溝を備え、前記案内溝は、前記光軸方向の一部分に径方向に貫通する貫通部を備えるものとすることができる。このようにすれば、光軸回りにおけるカム筒と案内筒との相対的な角度位置を調節することにより、カム筒のカム孔と案内筒の貫通部とを連通させることができる。従って、カム孔と貫通部とを連通させた状態としておき、案内筒の外周側から貫通部およびカム孔を介して、カム筒の内周側に位置するレンズ群保持筒に案内ピンを取り付けることができる。また、レンズ群保持筒に取り付けた案内ピンを、カム筒のカム孔を貫通して案内筒の案内溝に挿入された状態とすることが容易である。
【００１０】
本発明において、前記案内筒は、樹脂成形品であり、前記フランジは、前記光軸方向に貫通する固定孔を備え、前記フランジと前記貫通部とは、前記光軸方向で異なる位置に設けられており、前記固定孔と前記貫通部とは、前記光軸回りで異なる角度位置に設けられていることが望ましい。このようにすれば、金型内に樹脂を充填して案内筒を成形することが容易となる。すなわち、案内筒のフランジに光軸方向に貫通する固定孔を設けるためには、金型として、固定孔を形成するためのピンを備え、軸線方向（案内筒の軸線方向）に移動可能な固定孔用可動金型を備える必要がある。また、案内筒に径方向に貫通する貫通部を設けるためには、貫通部を形成するための凸部を備え、径方向に移動可能な貫通部用可動金型を備える必要がある。ここで、フランジと貫通部とを光軸方向の異なる位置に設け、かつ、固定孔と貫通部とを光軸回りで異なる角度位置に設ければ、固定孔用可動金型と貫通部用可動金型とが移動したときに互いに干渉することを回避できる。従って、案内筒の成形が容易となる。
【００１１】
次に、本発明のプロジェクターは、上記の投写レンズと、前記投写レンズを支持するためのフレームと、を有し、前記投写レンズは、前記フランジを介して前記フレームに固定されていることを特徴とする。
【００１２】
本発明によれば、投写レンズのフランジは、レンズ群保持筒、カム筒、および、案内筒からなる投写レンズの鏡筒に、直接、設けられている。従って、フランジを利用して投写レンズをプロジェクターのフレームに固定したときに外部から投写レンズに衝撃が加わった場合には、その衝撃を鏡筒で受けることができる。よって、投写レンズを外部からの衝撃に強いものとすることができる。また、フランジは、鏡筒（案内筒）に、直接、設けられているので、フランジを備える部材を鏡筒の外周側に配置しなくて済む。よって、投写レンズが径方向で大型化することを回避できる。これにより、プロジェクターにおける投写レンズの設置スペースを抑制できる。よって、プロジェクターを小さくすることが容易となる。さらに、フランジを備える部材を鏡筒とは別に設けなくてもよいので、投写レンズの部品点数を削減できる。これにより、プロジェクターの部品点数を削減できるので、プロジェクターの製造コストを抑制できる。
【図面の簡単な説明】
【００１３】
【図１】本発明の投写レンズを備えるプロジェクターの概略構成図である。
【図２】投写レンズを投写方向の前方から見た場合の斜視図である。
【図３】投写レンズを投写方向の後方から見た場合の斜視図である。
【図４】投写レンズの分解斜視図である。
【図５】投写レンズを光軸に沿って切断した断面図である。
【発明を実施するための形態】
【００１４】
以下に図面を参照しながら本発明の実施形態である投写レンズおよびプロジェクターを説明する。
【００１５】
（プロジェクター）
図１は本発明の投写レンズを備えるプロジェクターの概略構成図である。図１に示すように、プロジェクター１は、スクリーンＳに投写する画像光を生成する画像光生成光学系２と、画像光を拡大して投写する投写レンズ３と、画像光生成光学系２の動作を制御する制御部４とを備える。投写レンズ３、画像光生成光学系２、制御部４は、筐体５に収容されている。
【００１６】
（画像光生成光学系および制御部）
画像光生成光学系２は、光源１０、第１インテグレーターレンズ１１、第２インテグレーターレンズ１２、偏光変換素子１３、重畳レンズ１４を備える。光源１０は、例えば、超高圧水銀ランプ、固体光源等で構成される。第１インテグレーターレンズ１１および第２インテグレーターレンズ１２は、アレイ状に配列された複数のレンズ素子をそれぞれ有する。第１インテグレーターレンズ１１は、光源１０からの光束を複数に分割する。第１インテグレーターレンズ１１の各レンズ素子は、光源１０からの光束を第２インテグレーターレンズ１２の各レンズ素子の近傍に集光させる。
【００１７】
偏光変換素子１３は、第２インテグレーターレンズ１２からの光を所定の直線偏光に変換させる。重畳レンズ１４は、第１インテグレーターレンズ１１の各レンズ素子の像を、第２インテグレーターレンズ１２を介して、後述する液晶パネル１８Ｒ、液晶パネル１８Ｇ、および、液晶パネル１８Ｂの表示領域上で重畳させる。
【００１８】
また、画像光生成光学系２は、第１ダイクロイックミラー１５、反射ミラー１６およびフィールドレンズ１７Ｒ、および、液晶パネル１８Ｒを備える。第１ダイクロイックミラー１５は、重畳レンズ１４から入射した光線の一部であるＲ光を反射させ、重畳レンズ１４から入射した光線の一部であるＧ光およびＢ光を透過させる。第１ダイクロイックミラー１５で反射されたＲ光は、反射ミラー１６およびフィールドレンズ１７Ｒを経て、液晶パネル１８Ｒへ入射する。液晶パネル１８Ｒは画像表示素子である。液晶パネル１８ＲはＲ光を画像信号に応じて変調することにより、赤色の画像を形成する。
【００１９】
さらに、画像光生成光学系２は、第２ダイクロイックミラー２１、フィールドレンズ１７Ｇ、および、液晶パネル１８Ｇを備える。第２ダイクロイックミラー２１は、第１ダイクロイックミラー１５からの光線の一部であるＧ光を反射させ、第１ダイクロイックミラー１５からの光線の一部であるＢ光を透過させる。第２ダイクロイックミラー２１で反射されたＧ光は、フィールドレンズ１７Ｇを経て、液晶パネル１８Ｇへ入射する。液晶パネル１８Ｇは画像表示素子である。液晶パネル１８ＧはＧ光を画像信号に応じて変調することにより、緑色の画像を形成する。
【００２０】
また、画像光生成光学系２は、リレーレンズ２２、反射ミラー２３、リレーレンズ２４、反射ミラー２５、およびフィールドレンズ１７Ｂ、および、液晶パネル１８Ｇを備える。第２ダイクロイックミラー２１を透過したＢ光は、リレーレンズ２２、反射ミラー２３、リレーレンズ２４、反射ミラー２５、およびフィールドレンズ１７Ｂを経て、液晶パネル１８Ｂへ入射する。液晶パネル１８Ｂは画像表示素子である。液晶パネル１８ＢはＢ光を画像信号に応じて変調することにより、青色の画像を形成する。
【００２１】
液晶パネル１８Ｒ、液晶パネル１８Ｇ、および、液晶パネル１８Ｂは、クロスダイクロイックプリズム１９を３方向から囲んでいる。クロスダイクロイックプリズム１９は、光合成用のプリズムであり、各液晶パネル１８Ｒ、１８Ｇ、１８Ｂで変調された光を合成して画像光を生成する。
【００２２】
投写レンズ３は、クロスダイクロイックプリズム１９が合成した画像光（各液晶パネル１８Ｒ、１８Ｇ、１８Ｂが形成した画像）をスクリーンＳに拡大して投写する。
【００２３】
ここで、プロジェクター１は、光源１０からの光束の光路と当該光路上に配置された光学部材を内側に収容するフレーム２６を備える。フレーム２６は、クロスダイクロイックプリズム１９が合成した画像光の光路に対応する位置に開口部２７を備える。投写レンズ３はフレーム２６における開口部２７の開口縁部分に固定される。投写レンズ３の詳細は後述する。
【００２４】
制御部４は、ビデオ信号等の外部画像信号が入力される画像処理部６と、画像処理部６から出力される画像信号に基づいて液晶パネル１８Ｒ、液晶パネル１８Ｇおよび液晶パネル１８Ｂを駆動する表示駆動部７とを備える。
【００２５】
画像処理部６は、外部の機器から入力された画像信号を各色の諧調等を含む画像信号に変換する。表示駆動部７は、画像処理部６から出力された各色の画像信号に基づいて液晶パネル１８Ｒ、液晶パネル１８Ｇおよび液晶パネル１８を動作させる。これにより、画像処理部６は、画像信号に対応した画像を液晶パネル１８Ｒ、液晶パネル１８Ｇおよび液晶パネル１８Ｇに表示する。
【００２６】
（投写レンズ）
図２は投写レンズ３を投写方向の前方（拡大側）から見た場合の斜視図である。図３は投写レンズを投写方向の後方（縮小側）から見た場合の斜視図である。図４は本例の投写レンズの分解斜視図である。図５は本発明の投写レンズを光軸に沿って切断した断面図である。図２、図３に示すように、投写レンズ３は、複数枚のレンズＬ１〜Ｌ１５と、これらのレンズＬ１〜Ｌ１５を外周側から保持する鏡筒３１を備える。鏡筒３１は、投写レンズ３の光軸Ｘ方向の中間位置に外周側に突出するフランジ３２を備える。以下の説明では、投写レンズ３の光軸Ｘ方向において、スクリーンＳの側（拡大側）を投写方向の前方Ｘ１とし、クロスダイクロイックプリズム１９の側（縮小側）を投写方向の後方Ｘ２とする。また、光軸Ｘと直交する方向を径方向とする。
【００２７】
図５に示すように、投写レンズ３は１５枚のレンズＬ１〜Ｌ１５を備える。第１レンズＬ１、第２レンズＬ２および第３レンズＬ３は第１レンズ群ＬＧ１を構成している。第１レンズ群ＬＧ１は第１レンズ群保持筒３５に保持されている。第１レンズ群保持筒３５は、第１レンズ群ＬＧ１を保持する保持筒本体３６と、保持筒本体３６を外周側および後方Ｘ２から支持する支持筒３７を備える。保持筒本体３６は支持筒３７に接着剤により固定されている。支持筒３７の外周面の後端部分には雄ねじ３８が設けられている。
【００２８】
第４レンズＬ４、第５レンズＬ５および第６レンズＬ６は第２レンズ群ＬＧ２を構成している。第２レンズ群ＬＧ２は第２レンズ群保持筒４２に保持されている。第７レンズＬ７、第８レンズＬ８、および第９レンズＬ９は第３レンズ群ＬＧ３を構成している。第３レンズ群ＬＧ３は第３レンズ群保持筒４３に保持されている。第１０レンズＬ１０は第４レンズ群ＬＧ４を構成している。第４レンズ群ＬＧ４は第４レンズ群保持筒４４に保持されている。第１１レンズＬ１１は第５レンズ群ＬＧ５を構成している。第５レンズ群ＬＧ５は第５レンズ群保持筒４５に保持されている。第１２レンズＬ１２、第１３レンズＬ１３、および、第１４レンズＬ１４は第６レンズ群ＬＧ６を構成している。第６レンズ群ＬＧ６は第６レンズ群保持筒４６に保持されている。第１５レンズＬ１５は第７レンズ群ＬＧ７を構成している。第７レンズ群ＬＧ７は第７レンズ群保持筒４７に保持されている。
【００２９】
第２レンズ群ＬＧ２、第３レンズ群ＬＧ３、第４レンズ群ＬＧ４、第５レンズ群ＬＧ５、および、第６レンズ群ＬＧ６は、それぞれスクリーンＳへの投写サイズを変更するズーム時に光軸Ｘ方向に移動する可動レンズ群である。可動レンズ群を保持する第２〜第６レンズ群保持筒４２〜４６は、それぞれ、径方向の外側に突出する３本の案内ピン４９を備える。各案内ピン４９は、光軸Ｘ回りの等角度間隔で各レンズ群保持筒４２〜４６に取り付けられている。案内ピン４９はねじ５０により各レンズ群保持筒４２〜４６に固定されている。
【００３０】
レンズＬ１〜Ｌ１５を保持する鏡筒３１は、第１〜第７レンズ群保持筒３５、４２〜４７と、カム筒５１と、案内筒５２と、ズーム用リング５３と、を備える。カム筒５１は、第２〜第６レンズ群保持筒４２〜４６の径方向の外側に位置する。案内筒５２は第１〜第７レンズ群保持筒３５、４２〜４７の外周側に位置するとともに、カム筒５１の外周側に位置する。案内筒５２はカム筒５１を光軸Ｘ回りに回転可能に支持する。ズーム用リング５３は、案内筒５２の前側部分の外周側に配置されている。ズーム用リング５３は光軸Ｘ回りに回転可能な状態で案内筒５２に支持されている。第１〜第７レンズ群保持筒３５、４２〜４７、カム筒５１、案内筒５２、および、ズーム用リング５３は、いずれも樹脂成形品である。
【００３１】
図４に示すように、カム筒５１は、光軸Ｘ回りで等角度間隔に離間する３か所に、それぞれ光軸Ｘ方向に配列された５本のカム孔５４を備える。各カム孔５４は、周方向に向かって光軸Ｘ方向に傾斜する。５本のカム孔５４には、それぞれ可動レンズ群を保持する第２〜第６レンズ群保持筒４２〜４６の案内ピン４９が貫通する。第２〜第６レンズ群保持筒４２〜４６は光軸Ｘ方向に移動可能な状態でカム筒５１に支持されている。
【００３２】
案内筒５２は、筒本体５５と、筒本体５５から外周側に突出するフランジ３２を備える。筒本体５５は、その先端部分の内周面に雌ねじ５６を備える。第１レンズ群保持筒３５は、その雄ねじ３８が雌ねじ５６に螺合することにより案内筒５２の保持されている。図５に示すように、案内筒５２の雌ねじ５６と第１レンズ群保持筒３５の雄ねじ３８とは、フォーカス時に第１レンズ群ＬＧ１を光軸Ｘ方向に移動させるヘリコイド機構５７を構成する。また、筒本体５５は、その後端部分に、前側部分と比較して外径寸法が小さい小径筒部分５８を備える。小径筒部分５８は第７レンズ群保持筒４７を固定するための固定部である。第７レンズ群保持筒４７は接着剤により小径筒部分５８に固定されている。
【００３３】
さらに、筒本体５５は、その先端部分に光軸Ｘと直交する周方向に延びる３本の長孔６１を備える。各長孔６１は光軸Ｘ回りで等角度間隔に設けられている。ここで、ズーム用リング５３は３本の長孔６１を外周側から被う位置に配置されている。また、ズーム用リング５３は、各長孔６１を径方向に貫通する固定ピン６２によりカム筒５１の先端部分に接続されている。従って、案内筒５２に対してズーム用リング５３を回転させると、カム筒５１がズーム用リング５３と一体に回転する。ズーム用リング５３およびカム筒５１は、固定ピン６２が各長孔６１の周方向の一方の端から他方の端まで移動する角度範囲で回転可能である。なお、固定ピン６２はねじ６３によりカム筒５１に固定されている。
【００３４】
また、筒本体５５は、その内周面に、光軸Ｘ方向に延びる３本の案内溝６５を備える。各案内筒５２は光軸Ｘ回りで等角度間隔に離間する３か所に設けられている。案内溝６５には、第２〜第６レンズ群保持筒４２〜４６の案内ピン４９が内周側から挿入される。各案内筒５２は、その前側部分および後側部分のそれぞれに径方向に貫通する貫通部６６を備える。
【００３５】
ここで、第２〜第６レンズ群保持筒４２〜４６に案内ピン４９を設ける方法を説明する。第２〜第６レンズ群保持筒４２〜４６に案内ピン４９を設ける際には、まず、案内筒５２とカム筒５１とを光軸Ｘ回りに相対回転させて、カム筒５１のカム孔５４と案内筒５２の貫通部６６とを径方向で連通させる。次に、案内筒５２の外周側から貫通部６６およびカム孔５４に案内ピン４９を挿入する。その後、カム筒５１の内周側に位置する各レンズ群保持筒４２〜４６のピン固定部に、ねじ５０を用いて、案内ピン４９を固定する。ここで、各案内ピン４９が各レンズ群保持筒４２〜４６に固定されたときに、カム孔５４を貫通してカム筒５１よりも外周側に延びる案内ピン４９の外周側の端は案内溝６５の底面よりも内周側に位置している。
【００３６】
フランジ３２は、案内筒５２の光軸Ｘ方向の途中位置に設けられている。フランジ３２の形成位置は、カム筒５１に設けられた複数のカム孔５４のうち最も後方Ｘ２（縮小側）に位置するカム孔５４（５）よりも前方Ｘ１（拡大側）に位置する。これにより、フランジ３２の位置は、鏡筒３１の前端および後端よりも投写レンズ３の重心Ｇに近くなる。また、これにより、フランジ３２の位置は当該カム孔５４（５）よりも重心Ｇに近くなる。本例では、フランジ３２は、投写レンズ３の重心Ｇよりも後方Ｘ２に位置する。また、フランジ３２は、各案内溝６５の貫通部６６とは、光軸Ｘ方向で異なる位置に設けられている。すなわち、フランジ３２は、光軸Ｘ方向で、各案内溝６５の前側部分に設けられた貫通部６６と後側部分に設けられた貫通部６６との間に位置する。なお、投写レンズ３の重心Ｇは、ズーム時の可動レンズ群の移動に伴って光軸Ｘ方向に移動するものである。
【００３７】
図２、図３に示すように、案内筒５２を光軸Ｘ方向から見た場合の輪郭形状は円形であり、フランジ３２を光軸Ｘ方向から見た場合の輪郭形状は矩形である。矩形輪郭のフランジ３２の４つの各角部分６８には、それぞれ光軸Ｘ方向に貫通する固定孔６９が設けられている。フランジ３２の各角部分６８は、光軸Ｘ回りで各案内溝６５とは異なる角度位置に配置されている。従って、フランジ３２の固定孔６９と、各案内筒５２の貫通部６６とは光軸Ｘ回りで異なる角度位置に設けられている。
【００３８】
投写レンズ３は、図１、図５に示すように、フレーム２６の開口部２７の開口縁部分に固定される。すなわち、投写レンズ３は、投写レンズ３におけるフランジ３２よりも後側部分を開口部２７に挿入して、フレーム２６の開口縁部分にフランジ３２を当接させた姿勢とされる。そして、フランジ３２の固定孔６９を利用して、ねじにより、フレーム２６に固定される。
【００３９】
プロジェクター１による投写倍率を変化させる際には、ズーム用リング５３を回転させる。ズーム用リング５３が回転すると、カム筒５１がズーム用リング５３と一体に回転する。カム筒５１が回転すると、案内ピン４９がカム孔５４に挿入されている第２〜第６レンズ群保持筒４２〜４６は、それぞれカム筒５１と一体に光軸Ｘ回りに回転しようとする。ここで、案内ピン４９は、その外周側の端部分が案内筒５２の案内溝６５に挿入されている。この結果、第２〜第６レンズ群保持筒４２〜４６は、カム孔５４および案内筒５２に沿って光軸Ｘ方向に移動する。従って、ズーム用リング５３を回転させると、第２〜第６レンズ群保持筒４２〜４６に保持された可動レンズ群（第２レンズ群ＬＧ２、第３レンズ群ＬＧ３、第４レンズ群ＬＧ４、第５レンズ群ＬＧ５、および、第６レンズ群ＬＧ６）が光軸Ｘ方向に移動して、投写倍率を変化させる。
【００４０】
また、プロジェクター１のフォーカシングを行う場合には、第１レンズ群保持筒３５を回転させる。ここで、第１レンズ群保持筒３５の雄ねじ３８と案内筒５２の雌ねじ５６はヘリコイド機構５７を構成している。従って、第１レンズ群保持筒３５を回転させると、第１レンズ群保持筒３５とともに第１レンズ群ＬＧ１が光軸Ｘ方向に移動する。これによりフォーカシングを行うことができる。
【００４１】
（作用効果）
本例の投写レンズ３では、フランジ３２は、鏡筒３１を構成する案内筒５２に直接設けられている。従って、フランジ３２を利用して投写レンズ３をプロジェクター１のフレーム２６に固定したときに外部から投写レンズ３に衝撃が加わった場合には、その衝撃を鏡筒３１で受けることができる。よって、フランジ３２を備える部材を鏡筒３１とは別に備え、当該部材よって鏡筒３１を片持ちに支持した構成の投写レンズをプロジェクター１のフレームに固定する場合と比較して、投写レンズ３を外部からの衝撃に強いものとすることができる。また、フランジ３２は、鏡筒３１（案内筒５２）に、直接、設けられているので、フランジ３２を備える部材を鏡筒３１（案内筒５２）の外周側に配置しなくて済む。よって、投写レンズ３が径方向で大型化することを回避できる。さらに、フランジ３２を備える部材を、鏡筒３１とは別に設けなくてもよいので、投写レンズ３の部品点数を削減できる。
【００４２】
また、本例では、フランジ３２は、案内筒５２における光軸Ｘ方向の途中位置に設けられている。これにより、フランジ３２を投写レンズ３の重心Ｇに近い位置に設けることが容易である。また、フランジ３２の位置を投写レンズ３の重心Ｇに近い位置としているので、フランジ３２を利用して投写レンズ３をプロジェクター１のフレーム２６に固定したときに、投写レンズ３が、フレーム２６にバランス良く支持される。
【００４３】
さらに、本例では、案内筒５２に設けられた案内溝６５は、光軸Ｘ方向の一部分に径方向に貫通する貫通部６６を備える。従って、可動レンズ群を保持する第２〜第６レンズ群保持筒４２〜４６に、案内ピン４９を取り付けることが容易である。また、第２〜第６レンズ群保持筒４２〜４６に取り付けた案内ピン４９を、カム筒５１のカム孔５４を貫通して案内筒５２の案内溝６５に挿入した状態とすることが容易である。
【００４４】
また、本例では、案内筒５２において、フランジ３２と貫通部６６とは光軸Ｘ方向の異なる位置に設けられている。さらに、案内筒５２において、フランジ３２の固定孔６９と貫通部６６とは光軸Ｘ回りで異なる角度位置に設けられている。従って、金型内に樹脂を充填して案内筒５２を成形することが容易である。すなわち、案内筒５２のフランジ３２に固定孔６９を設けるためには、金型として、固定孔６９を形成するためのピンを備え、光軸Ｘ方向（案内筒５２の軸線方向）に移動可能な固定孔用可動金型を備える必要がある。また、案内筒５２に径方向に貫通する貫通部６６を設けるためには、貫通部６６を形成するための凸部を備え、径方向に移動可能な貫通部用可動金型を備える必要がある。ここで、フランジ３２と貫通部６６とを光軸Ｘ方向の異なる位置に設け、かつ、固定孔６９と貫通部６６とを光軸Ｘ回りで異なる角度位置に設ければ、固定孔用可動金型と貫通部用可動金型とがそれぞれ移動したときに互いに干渉することを回避できる。従って、案内筒５２の成形が容易となる。
【００４５】
また、本例のプロジェクター１では、投写レンズ３のフランジ３２は、投写レンズ３の鏡筒３１（案内筒５２）に、直接、設けられている。従って、フランジ３２を利用して投写レンズ３をプロジェクター１のフレーム２６に固定したときに外部から投写レンズ３に衝撃が加わった場合には、その衝撃を鏡筒３１で受けることができる。よって、投写レンズ３を外部からの衝撃に強いものとすることができる。また、フランジ３２は、鏡筒３１（案内筒５２）に、直接、設けられているので、フランジ３２を備える部材を鏡筒３１の外周側に配置しなくて済む。よって、投写レンズ３が径方向で大型化することを回避できる。これにより、プロジェクター１における投写レンズ３の設置スペースを抑制できる。よって、プロジェクター１を小さくすることが容易となる。さらに、フランジ３２を備える部材を鏡筒３１とは別に設けなくてもよいので、投写レンズ３の部品点数を削減できる。これにより、プロジェクター１の部品点数を削減できるので、プロジェクター１の製造コストを抑制できる。
【符号の説明】
【００４６】
１…プロジェクター、２…画像光生成光学系、３…投写レンズ、４…制御部、５…筐体、６…画像処理部、７…表示駆動部、１０…光源、１１…第１インテグレーターレンズ、１２…第２インテグレーターレンズ、１３…偏光変換素子、１４…重畳レンズ、１５…第１ダイクロイックミラー、１６…反射ミラー、１７Ｂ…フィールドレンズ、１７Ｇ…フィールドレンズ、１７Ｒ…フィールドレンズ、１８…液晶パネル、１８Ｂ…液晶パネル、１８Ｇ…液晶パネル、１８Ｒ…液晶パネル、１９…クロスダイクロイックプリズム、２１…第２ダイクロイックミラー、２２…リレーレンズ、２３…反射ミラー、２４…リレーレンズ、２５…反射ミラー、２６…フレーム、２７…開口部、３１…鏡筒、３２…フランジ、３５…第１レンズ群保持筒、３６…保持筒本体、３７…支持筒、３８…雄ねじ、４２…第２レンズ群保持筒、４３…第３レンズ群保持筒、４４…第４レンズ群保持筒、４５…第５レンズ群保持筒、４６…第６レンズ群保持筒、４７…第７レンズ群保持筒、４９…案内ピン、５０…ねじ、５１…カム筒、５２…案内筒、５３…ズーム用リング、５４…カム孔、５５…筒本体、５６…雌ねじ、５７…ヘリコイド機構、５８…小径筒部分、６１…長孔、６２…固定ピン、６３…ねじ、６５…案内溝、６６…貫通部、６８…フランジの角部分、６９…固定孔、Ｌ１〜Ｌ１５…レンズ、ＬＧ１〜ＬＧ７…レンズ群、Ｘ…光軸、Ｘ１…投写方向の前方（拡大側）、Ｘ２…投写方向の後方（縮小側）。
【図１】
2019132943.tif 000003
【図２】
2019132943.tif 000004
【図３】
2019132943.tif 000005
【図４】
2019132943.tif 000006
【図５】
2019132943.tif 000007